(57)【要約】【課題】砂浜に捨てられたゴミ、砂の中に埋められたゴミを集め、砂浜を清掃する装置を提供する。【解決手段】左右一対の支持板２間に、支持板２の円周方向にそって等配した複数本の支持棒３を架設して固定するとともに支持棒３の中間部を複数本の補強材４によって連結して砂上を回転、走行可能な円筒状のドラム５を形成し、各支持棒３にはドラム５の外方向へ複数本のゴミ収集用アーム６を突設するとともにドラム５内には開放角度を規制可能な蓋体８を揺動可能に設置し、各支持棒３間の投入口７は蓋体８によって開閉可能とした砂浜の清掃装置において、支持板２は多角形体としたものである。  支持棒３に突設したアーム６は、支持板２の半径方向にそって直線状に延長し、先端をドラム５の回転方向に屈曲あるいは湾曲したものであるか、支持板２の半径方向にそって直線状に延長し、かつ、先端を拡開二股状としたものである。【選択図】図３
2005273247.tif 000002
【特許請求の範囲】
【請求項１】
左右一対の支持板２間に、支持板２の円周方向にそって等配した複数本の支持棒３を架設して固定するとともに支持棒３の中間部を複数本の補強材４によって連結して砂上を回転、走行可能な円筒状のドラム５を形成し、各支持棒３にはドラム５の外方向へ複数本のゴミ収集用アーム６を突設するとともにドラム５内には開放角度を規制可能な蓋体８を揺動可能に設置し、各支持棒３間の投入口７は蓋体８によって開閉可能とした砂浜の清掃装置において、支持板２は多角形体としたことを特徴とする砂浜の清掃装置。
【請求項２】
支持棒３に突設した収集用アーム６は、支持板２の半径方向にそって直線状に延長し、先端をドラム５の回転方向に屈曲あるいは湾曲したものである請求項１に記載する砂浜の清掃装置。
【請求項３】
支持棒３に突設した収集用アーム６は、支持板２の半径方向にそって直線状に延長し、かつ、先端を拡開二股状としたものである請求項１に記載する砂浜の清掃装置。
【請求項４】
支持棒３に突設した収集用アーム６は、ドラム５の回転方向に向けて傾斜したものである請求項１に記載する砂浜の清掃装置。
【請求項５】
支持棒３に突設した収集用アーム６は、ドラム５の回転方向に向けて湾曲したものである請求項１に記載する砂浜の清掃装置。
【発明の詳細な説明】
【技術分野】
【０００１】
本発明は、砂浜上を回転走行させることにより砂浜に散乱しているゴミを集め、砂浜を清掃する装置に関するものである。
【背景技術】
【０００２】
夏の海水浴客で賑わう砂浜、夏に限らず釣り人やサーフアーが集まる砂浜においては、飲食に使用した空き缶、空きビン、ペットボトル、弁当の空き容器、あるいは新聞、雑誌等をごみ箱に入れず、そのまま放置して捨てるためにゴミとして砂浜に散乱し、堆積している。また、捨てたゴミに限らず海から打ち上げられた上記のゴミや流木、海草類等が砂浜には散乱しているものである。
【０００３】
これらのゴミ類をそのまま放置していては非常に見苦しく、海岸の景観を損なうものである。そこで、夏が近づくとあるいは必要に応じて地域住民が集まって砂浜のゴミ類を集めて処分し、燃えるゴミは焼却処分し、砂浜の清掃作業を行っているが、清掃範囲が限られているため、海岸線の全ての砂浜の清掃まで行われないものであった。
【０００４】
例えば、江ノ島から平塚間の砂浜は非常に広大であり、人手によって全てのゴミを集め、砂浜の清掃を行うのは実質的には不可能なものであり、大勢の人が集まれば費用もかかり、また、清掃作業がすんでも直ぐにゴミが捨てられるのが現状である。
【０００５】
しかも、人手による清掃作業は年に数回であり、十分な清掃が行われないものであった。そこで、清掃装置を使用して砂浜の清掃が行われている。
例えば、特開平２−２６１１１０号としてビーチクリーナーが提供されている。このビーチクリーナーは、クローラ式走行装置２で走行可能な機体１の先端に掬上げ部７を有し、その後方に持上コンベア８、篩コンベア９、容器１０等を順に配置したものである。
【０００６】
この装置では砂やゴミ類を掬上げ部７で掬い上げ、持上コンベア８で砂とゴミ類を選別して砂を篩い落とし、更に篩コンベア９で砂を篩い、ゴミ類を容器１９に投入するようになっている。
また、実開平６−４３０２３号として砂地表面を回転、走行させて内部にゴミを収容、保持する清掃用ローラーが提供されている。
【特許文献１】特開平２−２６１１１０号
【特許文献２】実開平６−４３０２３号
【特許文献３】特開２００１−１４６７２１
【発明の開示】
【発明が解決しようとする課題】
【０００７】
しかし、上記する既に提供されている清掃装置のうち特開平２−２６１１１０号のビーチクリーナーは、装置全体が大掛かりなものであって構造が複雑であり、高価なものであった。しかも、砂地の表面に捨てられているゴミを集めることはできるが、砂の中に埋められているゴミまで集めることはできないものであった。
また、実開平６−４３０２３号の清掃用ローラーは構造が簡単ではあるが、やはり砂の中に埋められているゴミまで集めることはできなかった。
【０００８】
近年は使った弁当の容器、ペットボトル等のゴミを砂の中に埋めてしまうことがあり、一見すると砂浜は綺麗に見えるものであるが、砂を掘り起こすとゴミが出てくることがある。
夏の海水浴で子供が砂遊びをして砂を掘り起こしている時、埋められていたゴミの破片で怪我をすることがあり、非常に危険であるとともに非衛生的である。しかし、前記した提供されている種々の清掃装置では砂に埋められているゴミまで掘り起こして集めることはできないものであった。
【０００９】
そこで本願出願人は特開２００１−１４６７２１として砂浜の清掃装置を提供した。この清掃装置は、左右の支持板２間に複数本の支持棒３を周方向に架設するとともに各支持棒３には複数本のゴミ収集用アーム６を設けた円筒形ドラム５を砂浜上に回転走行させ、アーム６によってゴミを掬い取り、ドラム５内に取り入れるものである。
【００１０】
しかし、実験の結果、この装置は全体が重く、車輌によって牽引した時、支持板２は円板上となっているので砂浜上を回転することなく徐々に砂浜の中に潜り込む傾向があった。しかも、アーム６も同時に砂の深くに入り込むのでドラム５全体を回転させつつ移動させるのは非常に困難であった。更に、支持板２の周面は平滑面であるので、牽引した時、砂面上を滑って回転しないことがあった。このため、ゴミを取り入れることができなかった。
【００１１】
本発明は、上記する従来の砂浜の清掃に関する種々の問題点に鑑み、砂浜上を回転、走行させつつ砂の表面に出ている空き缶、ペットボトル、流木等のゴミおよび砂の中に埋もれているゴミを集めて収集する砂浜の清掃装置を提供することを目的とするものである。
【課題を解決するための手段】
【００１２】
上記の目的を達成するために本発明砂浜の清掃装置は、左右一対の支持板２間に、支持板２の円周方向にそって等配した複数本の支持棒３を架設して固定するとともに支持棒３の中間部を複数本の補強材４によって連結して砂上を回転、走行可能な円筒状のドラム５を形成し、各支持棒３にはドラム５の外方向へ複数本のアーム６を突設するとともにドラム５内には開放角度を規制可能な蓋体８を揺動可能に設置し、各支持棒３間の投入口７は蓋体８によって開閉可能とした砂浜の清掃装置において、支持板２は多角形体としたものである。
【００１３】
支持棒３に突設したアーム６は、支持板２の半径方向にそって直線状に延長し、先端をドラム５の回転方向に屈曲あるいは湾曲したものであり、または、支持棒３に突設したアーム６は、支持板２の半径方向にそって直線状に延長し、かつ、先端を拡開二股状としたものである。
また、支持棒３に突設したアーム６は、ドラム５の回転方向に向けて傾斜したものであるかドラム５の回転方向に向けて湾曲したものである。
【発明の効果】
【００１４】
以上、説明した本発明によれば、左右一対の支持板２間に、支持板２の円周方向にそって配設した複数本の支持棒３を架設して固定するとともに支持棒３の中間部は補強材４によって連結して回転、走行可能な円筒形のドラム５を形成し、各支持棒３には外方向に向けて突設した複数本のゴミ収集用アーム６を突設するとともにドラム５の内側には開放角度を規制可能な蓋体８を揺動可能に設置し、この蓋体８は、各支持棒３間に形成される投入口７を開閉可能としたので、ドラム５を砂上に設置して一定方向に回転、走行させれば、砂上に捨てられているゴミは収集用アーム６が掬い上げ、また、砂の中に埋められているゴミは収集用アーム６が掘り出すことができる。
【００１５】
収集アーム６に載せられたゴミは、ドラム５の回転に従って後方上方へ運ばれ、蓋体８が垂れ下がって開放された投入口７からドラム５内に自動的に投入される。
従って、本発明によれば砂の上に放置されている見えるゴミだけではなく、砂の中に埋められている見えないゴミまでも収集することができ、砂浜の清掃には最適なものである。
【００１６】
しかも、支持板２は多角形体としてあるので、ドラム５を一方向に引いた時、角部が砂面に突き刺さるので、ドラム５は砂面上を滑ることがなく回転するのでゴミの収集を連続して効率よく行うことができる。特に、支持板２の角部と平面部とで回転が変則的となるので、ドラム５全体に篩い振動が与えられ、ドラム５内にゴミとともに取り込まれた砂は蓋体８から篩い落とされることになる。
【００１７】
また、本発明装置は構造が簡単であるのでメンテナンスが容易であり、トラックに積み込むことにより各地の砂浜に運んで清掃作業を行うことができる。
【発明を実施するための最良の形態】
【００１８】
以下、図面に従って本発明の一実施形態を詳細に説明する。
図１、図２は本発明清掃装置の一実施形態を示すものであり、符号１によって示される清掃装置本体は、左右一対の支持板２間に、支持板２の円周方向にそって等間隔に配設した複数本の金属製支持棒３を架設して固定し、各支持棒３の中間部は、複数本の補強材４によって連結した全体として円筒形のドラム５によって構成されており、このドラム５は、砂上を一定の方向に回転しつつ走行可能である。そして各支持棒３には、ドラム５の外方向、即ち、支持板２の半径方向に向けてゴミの収集用アーム６を複数本突設してある。
【００１９】
このような構成は、前記した本願出願人の提供する清掃装置と同じであり、本願発明においては両支持板２を多角形体としたことに特徴を有している。図示において支持板２は、六角形体の場合が示してあるが、これに限定するものではなく、五角形体や七角形体あるいは八角形体等の任意の多角形状を選択することができる。
【００２０】
各収集用アーム６は、支持板２の半径方向にそって直線方向に延長しており、かつ、全ての収集用アーム６の先端は、同じ方向、即ち、ドラム５の回転方向Ａに向けて屈曲または湾曲した形状となっている。各支持棒３には１０本の収拾用アーム６が等間隔に配設してあるが、収集用アーム６の本数はドラム５全体の大きさによって選択することができる。また、隣設する収集用アーム６の間隔を狭くすれば多数本を設置できる。
【００２１】
各支持棒２間に形成される長形な空間は、集めたゴミの投入口７であり、本願発明の場合も従来と同様、図３に示すように、各投入口７を開閉するためにドラム５の内側に位置して長方形状の蓋体８が揺動可能に連結してある。即ち、図４に詳細を示すように、支持棒３には収集用アーム６の間を利用して２〜３個の回動体９を設け、この回動体９に蓋体８が取り付けてあり、蓋体８は自重によって支持棒３に吊り下がり、揺動可能である。
【００２２】
蓋体８は、金属製の枠体８ａ内に網を張設した場合が示してあるが、網に限定されるものではなく、枠体８ａ間に横あるいは縦方向に細長い金属線を多数本張設したものであってもよく、砂とゴミとを篩い分ける機能を有していればよい。また、回動体９は、支持棒３が挿通可能な単なる円筒体であってもよく、あるいはベアリングを有する軸受構造であってもよい。
【００２３】
各蓋体８は、補強材４に突き当たってドラム５の外側へ開くことはなくドラム５の内側方向にのみ開放するようになっており、かつ、各蓋体８は内側への開放角度が規制されている。図３に詳細を示すように、支持棒３あるいは補強材４に適当な間隔で２〜３本の角度規制アーム１０の基部を連結して固定し、かつ、各規制アーム１０は、ドラム５の回転方向とは反対方向へ向けてドラム５の内側方向へ傾斜状となっている。
【００２４】
従って、ドラムの上方に位置する蓋体８は、規制アーム１０に載って投入口７を開き、ドラム５の回転に従ってドラム５の下方に位置する蓋体８は、傾斜角度に自重が加わって補強材４上に倒れ、投入口７を閉じるようになる。更に、ドラム５が回転し、回動体９が右側水平位置より上方に達すると蓋体８は自重で垂直状態に吊り下り、更に回転することで蓋体８は規制アーム１０に載ることになる。
尚、アーム１０の傾斜角度は、図４において左斜め下方に蓋体８が達した時、蓋体８が倒れて投入口７を閉じる角度であることが望ましい。
【００２５】
本発明清掃装置は上記の構成であり、次に使用状態について説明する。
装置本体１を砂浜において砂の上に置き、図５に示すように、支持板２の中央に設けた軸１１に牽引具１２の両端を軸受を介して回転可能に連結し、牽引具１２を図示しないトラクターやＲＶ車のように砂上を走行可能な牽引車両に連結する。
【００２６】
そして、牽引車両によってドラム５を矢印Ｙ方向に引けば、支持板２の外周面、支持棒３および補強材４等が砂１３の上に載り、収集用アーム６は砂１３の中に入った状態でドラム５は引き方向に回転しつつ走行することになる。ドラム５が回転している時、支持板２の平らな面と砂面とが平行になることがあるが、ドラム５を引くことにより、角部が砂面に突き刺さり、ドラム５はこの角部を中心にして回転する。従って、支持板２の砂面に接する平面が、砂面にそって滑ることがない。
【００２７】
ドラム５の進行、回転に従って砂１３の上に捨てられているゴミ１４は収集用アーム６によって掬い上げられ、また、砂１３の中に埋められているゴミ１４は収集用アーム６によって掘り出され、隣接する収集用アーム６間に載せられたゴミ１４はドラム５の回転によって回転後方から上方に運ばれ、収集用アーム６の傾斜に従って図３において右横あるいは右斜め上から開放された投入口７を通してドラム５内に入れられる。
【００２８】
このように収集用アーム６は砂１３の中にもぐり込むようになるが、砂１３の中に埋められたゴミ１４は深い位置にあるものではないので、収集用アーム６の長さは２０〜３０ｃｍ程度で十分である。尚、ドラム５全体の大きさは、横長さは約１〜２ｍ、高さは約５０ｃｍ〜１ｍ位が適当であるが、特に大きさは限定する必要はない。
【００２９】
ドラム５の下方に位置する投入口７は蓋体８によって閉じられているので、ドラム５内に投入されたゴミ１４は蓋体８上に載って外部に抜け落ちることはなく、砂１３のみはドラム５の回転振動により蓋体８を通して篩い落とされる。特に、前記のように角部を支点にしてドラム５が回転すると、次の平面部がドラム５の自重で砂面上に落ち、順次、角部を中心にして変則的な回転運動をすることでドラム５全体に篩い振動が与えられ、蓋体８の篩い面が目詰まりを起こすことはない。
【００３０】
図３において、ドラム５は左方向に引かれ、回転しつつゴミ１４を収拾する状態を示してあり、各収集用アーム６の先端は回転方向に屈曲あるいは湾曲させてある。図３の一部に二点鎖線で示すように、収集用アーム６の先端を二股状に屈曲あるいは湾曲させ、全ての収集用アーム６を同じ形状にしておけば、蓋体８や規制アーム１０の位置関係等他の構造は変えることなくドラム５を右方向に押して回転させた場合でもゴミ１４の収拾は可能である。従って、ドラム５をＹ方向に引いてゴミを回収し、ドラム５を反対方向に押すことで往復してゴミを回収することができる。
【００３１】
上記の実施形態において収集用アーム６は直線体とし、支持板２の半径方向に向けてあるが、ドラム５の回転方向に傾斜させてもよい。あるいは、収集用アーム５は、全体をドラム５の回転方向に湾曲させた形状であってもよい。
また、装置本体１は、全体を金属材や合成樹脂材で構成してもよく、部分的に金属材と合成樹脂材とで構成してもよい。
【００３２】
尚、図示していないが隣設する収集用アーム６間は細長い複数本の金属線によって連結しておけば、隣設する収集用アーム６の間隔を大きく広げても金属線によって小さなゴミまで集めることができる。または、金属線に代えて蓋体８と同じように収集用アーム６間に網を張設してもよい。
収集用アーム６間および蓋体８の枠体８ａ間は、砂１３を篩い落とすことができ、小さなゴミ１４は掬い上げ、あるいは掘り出すことができれば網、金属線いずれであってもよい。
【００３３】
ドラム５の回転に従って、ドラム５内に収容されたゴミ１４は蓋体８の内面にそって回転方向に擦り上がるが、自重によって下方に転げ落ちるので、ゴミ１４はドラム５の下部内に集積された状態となる。ある程度のゴミが溜まれば図３右側の蓋体８が垂れ下がった投入口７からゴミを取り出せばよい。あるいは、支持板２に開閉可能なゴミの取り出し口を形成しておき、この取り出し口からゴミを取り出してもよい。
【００３４】
尚、ドラム５を走行方向へ回転させるのに特別な牽引具１２を必要とするものではなく、軸１１にあらかじめ軸受を設けておき、この軸受にロープを連結するだけでも牽引可能である。前記する規制アーム１０は、棒状体であるが、蓋体８と同じ長さの板体としてもよい。
【産業上の利用可能性】
【００３５】
本発明装置はかなり大きいものであり、広い砂浜では数台が必要となるので鉄工メーカーやプラスチックメーカーの受注、仕事量の増大を図ることができる。また、各自治体の依頼を受けて装置を持ち運び、ゴミの収集を行うことでゴミ清掃業者の利益増大を図ることができる。
【図面の簡単な説明】
【００３６】
【図１】本発明の一実施形態を示す清掃装置全体の正面図である。
【図２】本発明の一実施形態を示す清掃装置全体の側面図である。
【図３】砂浜の清掃中を示すドラムの内部構造を示す側面図である。
【図４】支持棒に蓋体を取り付けた状態の要部の正面図である。
【図５】ドラムに牽引具を取り付けた状態の平面図である。
【符号の説明】
【００３７】
１  清掃装置本体
２  多角形支持板
３  支持棒
４  補強材
５  円筒状ドラム
６  ゴミ収集用アーム
７  ゴミ投入口
８  篩い用蓋体
９  回動体
１０  角度規制アーム
１１  回転用軸
１２  牽引具
１３  砂
１４  ゴミ
【図１】
2005273247.tif 000003
【図２】
2005273247.tif 000004
【図３】
2005273247.tif 000005
【図４】
2005273247.tif 000006
【図５】
2005273247.tif 000007